(57)【特許請求の範囲】
【請求項１】
指圧具の胴体（１０）の上面に設けられる少なくとも１つの可変指圧ボールを備えるマッサージ機の可変指圧ボールにおいて、
前記指圧具の胴体（１０）の上面から突出する軸（１１）と、
前記軸（１１）に緩くかぶせられたキャップ型指圧ボール（２１）と、
前記キャップ型指圧ボール（２１）と前記軸（１１）との間に結合される弾性部材（２５）と、
前記キャップ型指圧ボールの側部に結合される弾性台（２２ａ）と、
前記弾性台（２２ａ）と一体に形成される固定プレート（２３）と、前記固定プレート（２３）に形成される取付け孔（２４）と、前記取付け孔（２４）と対応するように前記指圧具の胴体（１０）に形成される結合突起（１４）と、を有する取付け部と、
を備えていることを特徴とするマッサージ機の可変指圧ボール。
【発明の詳細な説明】
【技術分野】
【０００１】
本発明は、マッサージ機に関し、より詳しくは、指圧具に形成した指圧ボールが指圧強度に応じてその位置が可変するようにすることにより、身体サイズに関係なく一律的な指圧位置が適用されるものではなく、身体サイズに応じて指圧ボールの位置が可変して最適な指圧強度を維持するようにするマッサージ機の可変指圧ボールに関する。
【背景技術】
【０００２】
一般的に、マッサージ機は、背中や腰、首を押したり叩いたりして固まった筋肉を解すことによって快さを感じるようにし、血液循環を助けて健康を増進させる装置であり、この頃は、背中や腰の他に上腿や下腿、足、腕、首をはじめとする僧帽筋など身体の各部分をマッサージできるようにするマッサージ装置が広く用いられている。
【０００３】
マッサージ機が採択している原理は大きく３つに分けることができ、モーターの回転によって指圧具が回転し、指圧具の一面に突出形成された指圧ボールが身体部位を押して、まるで指で押して指圧するようなマッサージをするもの、ローラーをレールを介して移動させながら身体部位を押してマッサージをするもの、複数のソレノイドを配列し、それらの様々な動作順の制御を通じてリズム感を与えて退屈させずにマッサージをするものに区分することができる。
【０００４】
しかし、人の手で指圧を受ける感じや効果を期待するには、ソレノイドを用いるマッサージ機よりは指圧具が回転しながらマッサージをする方が優れており、それよりはローラー方式のマッサージをする構造が最も優れる。
【０００５】
ところが、ローラーの移動によってマッサージをするマッサージ機の場合は、人が横になって荷重を加えている状態でローラーが移動してマッサージをするため、ローラーの円滑な移動のためのレールが必要であり、ローラーの移動時、レールの構造上、単に直線方向に前後進の往復運動をするようになっているので背中や腰部位にのみマッサージができる制限性と、１つのローラーでマッサージをするので指圧速度が遅すぎるという短所があり、マッサージ機の体積が大きくならざるを得ず、価格が高くなるという短所がある。
【０００６】
特に身体部位は屈曲があるため、腰や首のようにくびれている部位は指圧強度が落ち、背中のような部位は指圧強度が強すぎて痛みを感じるだけでなく、老弱者にとってはむしろ害になる場合がある。
【０００７】
このように身体の屈曲部、すなわち、首や肩および腰のような部位をマッサージするためには指圧ボールが回転しながら指圧をするマッサージ機が好適であり、モーターと減速器を介して指圧具が回転動作する構造であるため、構造が単純で、体積が小さく、安価な長所があり、そして首や肩、上腿や下腿、腕、背中や腰など様々な身体部位をその都度必要に応じて移動させて指圧できるという長所がある。
【０００８】
しかし、両側に回転指圧具を離隔設置し、その間にマッサージを受ける身体部位を位置させてマッサージを受けなければならないため、両側指圧具との間隔が一定であり、また、指圧具に形成された指圧ボールの間隔が一定であることにより、その間に位置した身体部位はそのサイズ特性に関係なく常に同一な間隔に位置して指圧をすることになる。そのため、身体サイズが小さい人の場合には指圧ボールとの間隔が遠すぎて指圧強度が弱くなる短所があり、身体サイズが大きい場合には指圧ボールが過度に強く指圧して痛みを感じるようになるという問題点がある。
【発明の概要】
【発明が解決しようとする課題】
【０００９】
本発明は、前記のような従来のマッサージ機の問題点を解消するために導き出されたものであり、指圧具の指圧ボールが弾性手段によってその位置が弾力可変するように構成し、身体サイズの特性にあわせて両側指圧具間の指圧ボールの間隔が所定可変して指圧強度が調節されるようにすることにより、より安楽な状態でマッサージを受けるようにするマッサージ機の可変指圧ボールを提供することにその目的がある。
【課題を解決するための手段】
【００１０】
前記目的を達成するための本発明のマッサージ機の可変指圧ボールは、駆動モーターおよびそれと連結される減速器と、胴体の上面に１つまたは２つ以上配置される指圧ボールを有して前記減速器の回転軸に共に回転するように結合される指圧具と、を備えるマッサージ機の可変指圧ボールである。
【００１１】
前記指圧ボールは、前記指圧具の胴体の上面から突出する軸と、前記軸に緩くかぶせられたキャップ型指圧ボールと、前記キャップ型指圧ボールと前記軸との間の間隔を弾力的に回復させる弾性手段と、を備えることを特徴とする。
【００１２】
また、前記弾性手段は、前記キャップ型指圧ボールの両側に結合される弾性台を備え、前記弾性台の後尾部は前記指圧具の胴体に組み立て結合される取付け部を有することを特徴とする。
【００１３】
さらに、前記弾性手段は、前記キャップ型指圧ボールの内側と前記軸との間に結合される弾性部材であっても良く、或いは、弾性棒で形成される軸そのものであっても良い。
【００１４】
さらに、前記取付け部は弾性台および補助弾性台に一体に形成された固定プレートを備えていても良い。前記固定プレートは取付け孔を有し、前記指圧具の胴体は、前記取付け孔に嵌合されるように前記取付け孔と対応する結合突起を備えていても良い。
【発明の効果】
【００１５】
本発明のマッサージ機の指圧具は、指圧具の指圧ボールが弾性手段によって一定の圧力を受ければ、弾性手段によってその位置が弾力可変するように構成されているため、身体サイズの特性にあわせて両側指圧具間の指圧ボールの間隔が所定可変して好適な指圧強度に調節されるので、より安楽な状態で安全にマッサージを受けることができるという効果がある。
【図面の簡単な説明】
【００１６】
【図１】本発明の第１実施形態による指圧具のキャップ型指圧ボールの構造を示す斜視図である。
【図２】本発明の第１実施形態による指圧具のキャップ型指圧ボールの構造を示す平面図である。
【図３】本発明の第１実施形態による指圧具のキャップ型指圧ボールの構造を示す断面図である。
【図４】本発明の第１実施形態による指圧具のキャップ型指圧ボールの使用状態の断面図である。
【図５】本発明の第２実施形態による指圧具のキャップ型指圧ボールの構造を示す断面図である。
【図６】本発明の第２実施形態による指圧具のキャップ型指圧ボールの構造を示す断面図である。
【図７】本発明の第２実施形態による指圧具のキャップ型指圧ボールの構造を示す使用状態の断面図である。
【発明を実施するための形態】
【００１７】
以下、本発明の実施形態を添付図面を参照して詳細に説明する。
【００１８】
図１は本発明の第１実施形態による指圧具のキャップ型指圧ボールの構造を示す斜視図であり、図２は平面図であり、図３は断面図であり、図４は指圧具のキャップ型指圧ボールの使用状態の断面図である。
【００１９】
マッサージ機の指圧具は、駆動モーター１およびそれと連結される減速器２の回転軸３に結合されて共に回転する。
【００２０】
前記指圧具の胴体１０の上面には１つまたは２つ以上配列構成された指圧ボール２０を構成し、指圧ボール２０が一定以上の圧力を受ければ、所定間隔移動するようにしてマッサージを受ける人が過度な指圧圧力によって痛みを受けないように構成した。
【００２１】
すなわち、指圧具の胴体１０の上面に軸１１を突出形成し、その外部にキャップ型指圧ボール２１が緩くかぶせられており、別途の弾性手段３０によってキャップ型指圧ボール２１と軸１１間の間隔が維持されるようになっている。
【００２２】
キャップ型指圧ボール２１と軸１１間の間隔を維持する弾性手段は大きく３つのタイプで構成することができる。
【００２３】
（実施形態１）
実施形態１は、図１〜図４に示すように、キャップ型指圧ボール２１の両側に弾性台２２ａを構成し、必要に応じて中央部にも補助弾性台２２ｂをさらに構成しても良い。
【００２４】
前記弾性台２２ａおよび補助弾性台２２ｂの端部に固定プレート２３を備え、この固定プレート２３を指圧具の胴体１０に固定するようにしたものである。固定プレート２３の固定は、両側に取付け孔２４を形成し、前記取付け孔２４と対応する指圧具の胴体１０には取付け孔２４に嵌合される結合突起１４を構成してこれらの組み立てによって固定するか、または固定プレート２３を指圧具の胴体１０にピースで固定しても良く、接着剤で接着しても良い。
【００２５】
（実施形態２）
実施形態２は、図５、６に示すように、キャップ型指圧ボール２１の内側に弾性部材２５を備え、この弾性部材２５を介して軸１１を結合してキャップ型指圧ボール２１と軸１１間の間隔を弾力的に維持するように構成することができる。
【００２６】
前記弾性部材２５は、単に弾性ゴム（合成樹脂ゴム）で構成するか、またはコイルスプリングや板スプリングで構成することができる。
【００２７】
この時、キャップ型指圧ボール２１が軸１１から容易に離脱分離しないように軸の端部に鍔１６を形成し、それと対応する弾性部材２５には係止溝２６を形成して堅固な結合状態を維持するようにすることができる。
【００２８】
（実施形態３）
実施形態３は、図７に示すように、軸１１そのものが弾性を有するようにしたものである。換言すれば、軸１１そのものがスプリング機能を行うようにしたものである。
【００２９】
この構造によってキャップ型指圧ボール２１に一定以上の圧力が加えられれば、軸１１そのものが曲がってキャップ型指圧ボール２１が位置移動するようになる。
【００３０】
前述した実施形態１〜実施形態３のようにキャップ型指圧ボール２１そのものが指圧具の胴体１０から分離し、一定圧力が加えられれば、所定間隔の位置移動がなされるため、マッサージ機でマッサージを受ける人が過度な指圧具の指圧力によって痛みを感じたりケガをしたりすることが生じなくなる。
【００３１】
例えば、指圧具が回転しながら指圧ボールが身体を押して指圧する形態のマッサージ機は、指圧具が１対からなり、２つの指圧具の間に首や腰または腕、脚を位置させてマッサージを受ける。しかし、身体サイズが大きい場合には２つの指圧具の間隔が相対的に狭くなった状態となるため、指圧時に指圧ボールが過度に特定の身体部位を強く圧迫して痛みを誘発したりケガをしたりするようになる。
【００３２】
しかし、実施形態１〜実施形態３のようにキャップ型指圧ボール２１が指圧具の胴体１０から所定間隔移動できるようになれば、過度な指圧力が作用する時点にキャップ型指圧ボールが後退して互いの間隔が広くなるので従来のように過度な指圧力が加えられなくなる。
【００３３】
したがって、安全で安楽なマッサージを受けることができるようになる。
【符号の説明】
【００３４】
１  ・・・駆動モーター
２  ・・・減速器
３  ・・・回転軸
１０  ・・・指圧具の胴体
１１  ・・・軸
１４  ・・・結合突起
１６  ・・・鍔
２１  ・・・キャップ型指圧ボール
２２ａ  ・・・弾性台
２２ｂ  ・・・補助弾性台
２３  ・・・固定プレート
２４  ・・・取付け孔
２５  ・・・弾性部材
２６  ・・・溝
【図１】
0005864782.tif 000002
【図２】
0005864782.tif 000003
【図３】
0005864782.tif 000004
【図４】
0005864782.tif 000005
【図５】
0005864782.tif 000006
【図６】
0005864782.tif 000007
【図７】
0005864782.tif 000008